(57)【要約】【課題】ＯＦＤＭ変調信号の受信状態をユーザーが大まかに把握して受信品質を向上させる措置を講じることができるＯＦＤＭ変調信号受信装置を提供する。【解決手段】ＯＦＤＭ変調信号の自己相関値を所定周期毎に算出する自己相関算出部と、当該自己相関値と少なくとも１つの閾値とを比較して得られた比較結果値を所定区間毎に総計して前記所定区間毎の区間内総計値として算出する区間内総計値算出部と、当該所定区間毎に当該区間内総計値に応じて１つの自己相関レベルデータを記憶する選択記憶部と、を有する。【選択図】図１
2014023115.tif 000002
【特許請求の範囲】
【請求項１】
ＯＦＤＭ変調信号を復調するＯＦＤＭ変調信号復調器であって、
前記ＯＦＤＭ変調信号の自己相関値を所定周期毎に算出する自己相関算出部と、
前記自己相関値と少なくとも１つの閾値とを比較して得られた比較結果値を所定区間毎に総計して前記所定区間毎の区間内総計値として算出する区間内総計値算出部と、
前記所定区間毎に前記区間内総計値に応じて１つの自己相関レベルデータを記憶する選択記憶部と、を含むことを特徴とするＯＦＤＭ変調信号復調器。
【請求項２】
前記区間内総計値は、１の所定区間内に含まれる前記自己相関値のうち、前記閾値を上回るものの合計個数であることを特徴とする請求項１に記載のＯＦＤＭ変調信号復調器。
【請求項３】
前記区間内総計値は、１の所定区間内に含まれる前記自己相関値のうち、前記閾値を上回るもの各々と前記閾値との差分の積分値であることを特徴とする請求項１に記載のＯＦＤＭ変調信号復調器。
【請求項４】
前記区間内総計値は、１の所定区間内に含まれる前記自己相関値の積分値であることを特徴とする請求項１に記載のＯＦＤＭ変調信号復調器。
【請求項５】
前記所定区間は、前記所定周期よりも長いことを特徴とする請求項１に記載のＯＦＤＭ変調信号復調器。
【請求項６】
前記所定区間の時間軸上の位置は、前記自己相関値が最大となるタイミングを基準として設定されることを特徴とする請求項１に記載のＯＦＤＭ変調信号復調器。
【請求項７】
前記閾値は２つ以上であり、
前記区間内総計値算出部は、前記区間内総計値を前記閾値毎に算出し、
前記選択記憶部は、前記自己相関レベルデータの選択及び記憶を前記閾値毎に行うことを特徴とする請求項１に記載のＯＦＤＭ変調信号復調器。
【請求項８】
前記選択記憶部は、前記区間内総計値に応じて複数の自己相関レベルデータのうちから選択した１つを前記１つの自己相関レベルデータとすることを特徴とする請求項１に記載のＯＦＤＭ変調信号復調器。
【請求項９】
ＯＦＤＭ変調信号を受信してこれを復調するＯＦＤＭ変調信号受信装置であって、
前記ＯＦＤＭ変調信号の自己相関値を所定周期毎に算出する自己相関算出部と、
前記自己相関値と少なくとも１つの閾値とを比較して得られた比較結果値を所定区間毎に総計して前記所定区間毎の区間内総計値として算出する区間内総計値算出部と、
前記所定区間毎に複数の自己相関レベルデータのうちから前記区間内総計値に応じて１つの自己相関レベルデータを選択してこれを出力する出力部と、を含むことを特徴とするＯＦＤＭ変調信号受信装置。
【請求項１０】
前記区間内総計値は、１の所定区間内に含まれる前記自己相関値のうち、前記閾値を上回るものの合計個数であることを特徴とする請求項９に記載のＯＦＤＭ変調信号受信装置。
【請求項１１】
前記区間内総計値は、１の所定区間内に含まれる前記自己相関値のうち、前記閾値を上回るもの各々と前記閾値との差分の積分値であることを特徴とする請求項９に記載のＯＦＤＭ変調信号受信装置。
【請求項１２】
前記区間内総計値は、１の所定区間内に含まれる前記自己相関値の積分値であることを特徴とする請求項９に記載のＯＦＤＭ変調信号受信装置。
【請求項１３】
前記所定区間は、前記所定周期よりも長いことを特徴とする請求項９に記載のＯＦＤＭ変調信号受信装置。
【請求項１４】
前記所定区間の時間軸上の位置は、前記自己相関値が最大となるタイミングを基準として設定されることを特徴とする請求項９に記載のＯＦＤＭ変調信号受信装置。
【請求項１５】
前記閾値は２つ以上であり、
前記区間内総計値算出部は、前記区間内総計値を前記閾値毎に算出し、
前記選択記憶部は、前記自己相関レベルデータの選択及び記憶を前記閾値毎に行うことを特徴とする請求項９に記載のＯＦＤＭ変調信号受信装置。
【請求項１６】
前記選択記憶部は、前記区間内総計値に応じて複数の自己相関レベルデータのうちから選択した１つを前記１つの自己相関レベルデータとすることを特徴とする請求項９に記載のＯＦＤＭ変調信号受信装置。
【請求項１７】
ＯＦＤＭ変調信号を受信しこれを復調及び復号して得られた復号信号に基づく表示を行うＯＦＤＭ変調信号受信表示装置であって、
前記ＯＦＤＭ変調信号の自己相関値を所定周期毎に算出する自己相関算出部と、
前記自己相関値と少なくとも１つの閾値とを比較して得られた比較結果値を所定区間毎に総計して前記所定区間毎の区間内総計値として算出する区間内総計値算出部と、
前記区間内総計値に応じて選択した自己相関レベルにより前記所定区間毎の自己相関レベル告知をなす選択告知部と、を含むことを特徴とするＯＦＤＭ変調信号受信表示装置。
【請求項１８】
前記自己相関レベル告知は、画面表示又は音声によってなされることを特徴とする請求項１７に記載のＯＦＤＭ変調信号受信表示装置。
【請求項１９】
前記画面表示は、時間軸に沿って順に並置した複数のレベル表示画像からなることを特徴とする請求項１７に記載のＯＦＤＭ変調信号受信表示装置。
【請求項２０】
前記複数のレベル表示画像は、色の濃淡、色の種類、及び表示パターンのうちの少なくとも１つによって互いに識別可能な画像からなることを特徴とする請求項１７に記載のＯＦＤＭ変調信号受信表示装置。
【発明の詳細な説明】
【技術分野】
【０００１】
本発明は、ＯＦＤＭ（Orthogonal Frequency-Division Multiplexing：直交周波数分割多重方式）によって変調された信号を復調するＯＦＤＭ復調器、これを含む受信装置、及び、復号信号に基づく表示機能を更に有する受信表示装置に関する。
【背景技術】
【０００２】
ＯＦＤＭは例えば地上波デジタル放送等のデータ送信におけるデジタル変調方式として採用されている。ＯＦＤＭ通信においても旧来のアナログ通信の場合と同様に、受信装置のアンテナの方向を送信局側に向ける等の方向調整作業を行なうことにより良好な受信状態とすることができる。例えば特許文献１には、受信信号の電界強度をドットブロックによって画面上に表示させてアンテナの方向調整作業を容易化する技術が開示されている。特許文献２にも受信側において入力電界強度を表示する技術が開示されている。
【先行技術文献】
【特許文献】
【０００３】
【特許文献１】特開２００３−１０１４９１号公報
【特許文献２】特開２００６−６７０４７号公報
【発明の概要】
【発明が解決しようとする課題】
【０００４】
ところで、地上波デジタル放送のように１つの送信局から広範なエリアに向けてデータ送信を行なった場合、信号の伝播径路上に存在する構造物等の影響によっていわゆるマルチパスによる受信障害が生じ得る。ＯＦＤＭはデータシンボル間にガードインターバルを有しているのでマルチパスによる品質低下が生じ難いとされているが、ガードインターバルを超える遅延量のマルチパスが生じた場合には品質が低下してしまう。
【０００５】
特許文献１及び２に開示されている技術の場合には、受信信号の電界強度状態を表示するものの、正しい復調信号を得ることができない原因が、単に受信信号の信号強度が低いからなのか、それとも、マルチパスが生じているからなのかを判断することができない。それ故、受信品質を向上させるために、アンプを追加して受信信号の入力レベルを上げるべきなのか、それとも、アンテナの方向を調整してマルチパスの影響を軽減すべきなのか、改善策を定められない。
【０００６】
本発明は上記した如き問題点に鑑みてなされたものであって、ＯＦＤＭ変調信号の受信状態をユーザーが大まかに把握して受信品質を向上させる措置を講じることができるＯＦＤＭ変調信号復調器、受信装置及び受信表示装置を提供することを目的とする。
【課題を解決するための手段】
【０００７】
本発明によるＯＦＤＭ変調信号復調器は、ＯＦＤＭ変調信号を復調するＯＦＤＭ変調信号復調器であって、前記ＯＦＤＭ変調信号の自己相関値を所定周期毎に算出する自己相関算出部と、前記自己相関値と少なくとも１つの閾値とを比較して得られた比較結果値を所定区間毎に総計して前記所定区間毎の区間内総計値として算出する区間内総計値算出部と、前記所定区間毎に前記区間内総計値に応じて１つの自己相関レベルデータを記憶する選択記憶部と、を含むことを特徴とする。
【０００８】
本発明によるＯＦＤＭ変調信号受信装置は、ＯＦＤＭ変調信号を受信してこれを復調するＯＦＤＭ変調信号受信装置であって、前記ＯＦＤＭ変調信号の自己相関値を所定周期毎に算出する自己相関算出部と、前記自己相関値と少なくとも１つの閾値とを比較して得られた比較結果値を所定区間毎に総計して前記所定区間毎の区間内総計値として算出する区間内総計値算出部と、前記所定区間毎に複数の自己相関レベルデータのうちから前記区間内総計値に応じて１つの自己相関レベルデータを選択してこれを出力する出力部と、を含むことを特徴とする。
【０００９】
本発明によるＯＦＤＭ変調信号受信表示装置は、ＯＦＤＭ変調信号を受信しこれを復調及び復号して得られた復号信号に基づく表示を行うＯＦＤＭ変調信号受信表示装置であって、前記ＯＦＤＭ変調信号の自己相関値を所定周期毎に算出する自己相関算出部と、前記自己相関値と少なくとも１つの閾値とを比較して得られた比較結果値を所定区間毎に総計して前記所定区間毎の区間内総計値として算出する区間内総計値算出部と、前記区間内総計値に応じて選択した自己相関レベルにより前記所定区間毎の自己相関レベル告知をなす選択告知部と、を含むことを特徴とする。
【発明の効果】
【００１０】
本発明によるＯＦＤＭ変調信号復調器、受信装置及び受信表示装置によれば、マルチパスの発生状況及びノイズレベルをユーザーが大まかに把握して受信品質を向上させるための方策を試みることが容易になる。
【００１１】
特に、本発明によるＯＦＤＭ変調信号復調器が移動体に搭載される場合には、実際の移動に伴って変化する受信状況を大まかに把握しつつ、移動体内に設けられた他電気装置との相対的な位置関係の調整等の対策を講じることができる。
【図面の簡単な説明】
【００１２】
【図１】本発明の実施例であるＯＦＤＭ変調信号受信装置の構成を示すブロック図である。
【図２】シングルパス時におけるタイムチャートである。（ａ）はＯＦＤＭ変調信号、（ｂ）は自己相関波形、（ｃ）はシンボルパルスをそれぞれ示す。
【図３】マルチパス時におけるタイムチャートである。（ａ）はＯＦＤＭ変調信号、（ｂ）は自己相関波形、（ｃ）はシンボルパルスをそれぞれ示す。
【図４】シングルパス時におけるタイムチャートである。（ａ）は自己相関波形、（ｂ）はシンボルパルス、（ｃ）は自己相関強度が閾値を超える領域をそれぞれ示す。
【図５】マルチパス時におけるタイムチャートである。（ａ）は自己相関波形、（ｂ）はシンボルパルス、（ｃ）は自己相関強度が閾値を超える領域をそれぞれ示す。
【図６】（ａ）はシンボルパルス、（ｂ）は自己相関波形及び積分区間、（ｃ）は自己相関レベルに応じた画面表示の一例、（ｄ）は自己相関レベルと画面表示パターンの対応の一例、をそれぞれ示すタイムチャートである。
【図７】２つの閾値を用いた場合のタイムチャートである。（ａ）は自己相関波形及び積分区間、（ｂ）は自己相関レベルに応じた画面表示の一例をそれぞれ示す。
【発明を実施するための形態】
【００１３】
以下、本発明に係る実施例について添付の図面を参照しつつ詳細に説明する。
【００１４】
図１には、本発明の実施例であるＯＦＤＭ変調信号受信表示装置１（以下、単に受信装置１と称する）の構成が示されている。受信装置１は、アンテナ２を備え、ＯＦＤＭ変調信号を捕捉することができる。受信装置１は例えばカーナビゲーション装置である。ＯＦＤＭ変調信号は例えば地上波デジタル放送信号である。この場合、後述の表示部８にはカーナビゲーション機能による地図情報と地上波デジタル放送番組の映像とを選択的に表示することができる。
【００１５】
ＲＦ部３は、アンテナ２によって捉えられた様々な受信信号を入力信号とし、これに所定の信号処理を施してＯＦＤＭ復調器４に供給する。詳細には、ＲＦ部３は、まず微小信号である受信信号を増幅して得られた信号を中間周波数信号に変換する。ＲＦ部３は、次に、中間周波数信号から１つのチャネル信号を選択し、これを更に増幅してＯＦＤＭ復調器４に供給する。
【００１６】
ＯＦＤＭ復調器４は、ＲＦ部３から供給されるＯＦＤＭ変調信号を復調及び復号して得られたデジタル信号を後段のデコーダ７に供給する。ＯＦＤＭ復調器４は、１つのＬＳＩすなわち半導体装置として構成することができる。
【００１７】
復調部５は、ＲＦ部３から供給されるＯＦＤＭ変調信号を復調してサブキャリア毎の復調信号を得る。復調処理は、ＯＦＤＭ変調信号に対して一般的な直並列変換、離散フーリエ変換、等化、並直列変換の各処理を順次施すことによってなされる。
【００１８】
復号部６は、復調信号を復号して得られたデジタル信号を後段のデコーダ７に供給する。復号処理は、復調信号に対して、例えば、誤り訂正復号に関する処理（例えばデインターリーブ処理やビタビ復号処理）、エネルギー逆拡散処理、ＲＳ復号処理、信号フォーマットの変換処理を順次施すことによってなされる。
【００１９】
デコーダ７は、復号部６から供給されるデジタル信号に基づいて映像を再生する。
【００２０】
表示部８は、デコーダ７によって再生された映像を表示する。表示部８は例えば液晶ディスプレイである。
【００２１】
自己相関算出部９は、ＲＦ部３から供給されたＯＦＤＭ変調信号の自己相関値を所定周期毎に算出する。算出間隔は１シンボル長よりも十分に短い。一般的に、ＯＦＤＭ変調信号に含まれる有効ＯＦＤＭシンボルの各々にはガードインターバルが付加されている（図２参照）。ガードインターバルは、ＯＦＤＭ変調信号の送信側装置（図示せず）において有効ＯＦＤＭシンボルの後方信号を複製してその有効ＯＦＤＭシンボルの先頭に繋げられたものである。自己相関算出部９は、ある１つのＯＦＤＭシンボルのガードインターバルと当該１つのＯＦＤＭシンボルの後方信号とを比較して、その相関値を算出する。
【００２２】
区間内総計値算出部１０は、自己相関値と少なくとも１つの閾値とを比較して得られた比較結果値を所定区間（以下、積分区間と称する）毎に総計して、当該積分区間毎の区間内総計値を算出する。区間内総計値は、１の積分区間内に含まれる自己相関値のうち、閾値を上回るものの合計個数として算出される。積分区間の範囲及び個数は、後述の制御部１３によって設定される。当該所定区間は、自己相関算出部９による自己相関値の算出周期よりも長い。区間内総計値算出部１０は、例えば、自己相関判定部１１と、タイミング表示パルス生成部１２と、積分区間設定部１３と、積分部１４とから構成され得る。
【００２３】
自己相関判定部１１は、自己相関算出部９から供給される自己相関値と所定の閾値とを比較して比較結果値を得る。詳細には、自己相関判定部１１は、自己相関算出部９によって算出された自己相関値の各々について所定の閾値より大きいか否か判定する。自己相関判定部１１は、当該判定の結果を示す比較結果値を出力する。比較結果値は、例えば、自己相関値が閾値を上回っていると判定した場合（以下、強相関判定と称する）には「１」、自己相関値が閾値以下であると判定した場合（以下、弱相関判定と称する）には「０」というように２値のデータとして表される。
【００２４】
タイミング表示パルス生成部１２は、１シンボル周期毎にその１シンボル区間内において自己相関値が最大となるタイミングを判別し、そのタイミングを示すタイミング表示パルスを生成する。かかる動作により、１つのＯＦＤＭシンボルにつき１つのタイミング表示パルスが生成される。
【００２５】
積分区間設定部１３は、時間軸上で連続する複数の積分区間を設定する。この際、積分区間設定部１３は、タイミング表示パルスによって示されるタイミングを基準として複数の積分区間を設定することができる。積分区間の範囲及び個数は後述の制御部１９によって設定される。
【００２６】
積分部１４は、自己相関判定部１１によって生成された比較結果値を積分区間毎に総計して区間内総計値を得る。詳細には、積分部１４は、積分区間毎に強相関判定数を合計して区間内総計値を得る。換言すれば、積分部１４は、１の積分区間内に含まれる複数の自己相関値のうち所定の閾値を上回る自己相関値（すなわち、強相関判定された自己相関値）の合計個数を区間内総計値として算出する。積分区間の範囲及び個数は、後述の制御部１９によって設定される。積分部１４は、積分区間毎の区間内総計値を検出判定部１６に供給する。
【００２７】
選択記憶部１５は、所定区間毎に区間内総計値に応じて複数の自己相関レベルデータのうちの１つを選択し、これを記憶する。選択記憶部１５は、例えば、検出判定部１６と、メモリ１７とから構成され得る。
【００２８】
検出判定部１６は、積分部１４から供給される積分区間毎の区間内総計値に応じて、積分区間毎に、表示が互いに異なる複数の自己相関レベルデータのうちの１つを選択する。検出判定部１５は、複数の自己相関レベルデータを予め保持している。当該選択の詳細については後述する（図６）。
【００２９】
メモリ１７は、積分区間毎に当該選択された自己相関レベルデータを記憶する。メモリ１７は、例えばＬＳＩ内キャッシュメモリである。
【００３０】
カウンタ１８は、１シンボル周期の全範囲又は一部を複数の積分区間に分割するためのカウント値を生成する。ユーザーは、積分区間の範囲及び個数の設定指令をカウンタ１８に対して予め入力することができる。
【００３１】
制御部１９は、カウンタ１８のカウント値に応じて積分区間の範囲及び個数を積分部１４に設定する。また、制御部１９は、メモリ１７へのアクセスタイミングや自己相関レベルデータの記憶領域指定についても制御する。
【００３２】
メモリＩ／Ｆ２０は、メモリ１７と外部との間のインターフェースである。
【００３３】
ＣＰＵ２１は、メモリ１７に記憶されている積分区間毎の自己相関レベルデータをメモリＩ／Ｆ２０を介して例えば１秒おきなどの所定間隔毎に読み出して告知部２２に供給する。
【００３４】
告知部２２は、ＣＰＵ２１から供給される自己相関レベルデータに基づいて、例えば１シンボル長に相当する期間などの所定区間内の自己相関レベルについての告知をユーザーに対して行なう。告知は、例えば画面表示や音声によってなされる。また、告知は、例えば１秒おきなどの所定間隔毎になされる。告知部２２は、受信装置１内にディスプレイやスピーカとして設けられても良いし、受信装置１外に設けられたパーソナルコンピュータ等の表示機能を備える機器であっても良い。当該告知の詳細については後述する（図６）。
【００３５】
以下、上記機能ブロック１６〜２１を出力部と称し、上記機能ブロック１６〜２２を選択告知部と称する。
【００３６】
以下、図２を参照しつつ、シングルパス時における受信ＯＦＤＭ変調信号、自己相関値、及びタイミング表示パルスの関係について説明する。図２（ａ）に示されるように、ＯＦＤＭ変調信号に含まれる有効ＯＦＤＭシンボルの各々にはガードインターバル（ＧＩ）が付加されている。また、図２（ｂ）に示されるように、自己相関値は、有効ＯＦＤＭシンボルとガードインターバルとの境界近傍において最大となる。自己相関値のピーク間隔は１シンボル長にほほ等しくなる。また、図２（ｃ）に示されるように、１シンボル周期毎にタイミング表示パルスｐ１及びｐ２が、自己相関値が最大となるタイミングｔ１及びｔ２を示している。
【００３７】
以下、図３を参照しつつ、マルチパス時における受信ＯＦＤＭ変調信号、自己相関値、及びタイミング表示パルスの関係について説明する。図３（ａ）に示されるように、マルチパスの影響により、２つのＯＦＤＭ変調信号ｄ１及びｄ２の受信タイミングにずれが生じている。この場合、図３（ｂ）に示されるように、自己相関値には１シンボル周期毎に比較的大きいピークと比較的小さいピークとが形成される。自己相関値は、一方の受信ＯＦＤＭ変調信号ｄ２の有効ＯＦＤＭシンボルとガードインターバルとの境界近傍において最大となる。自己相関値のピーク間隔は１シンボル長にほほ等しくなる。また、図３（ｃ）に示されるように、１シンボル周期毎にタイミング表示パルスｐ３及びｐ４が、自己相関値が最大となるタイミングｔ３及びｔ４を示している。
【００３８】
以下、図４を参照しつつ、シングルパス時における自己相関値、タイミング表示パルス、及び自己相関値が所定閾値を超える区間（以下、強相関区間と称する）の関係について説明する。図４（ａ）に示されるように、自己相関値には１シンボル周期毎に１つのピークが形成されている。ピーク近傍では自己相関値が所定の閾値Ｔｈよりも大きくなっている。また、図４（ｂ）に示されるように、１シンボル周期毎にタイミング表示パルスｐ１及びｐ２が、自己相関値が最大となるタイミングｔ１及びｔ２を示している。また、図４（ｃ）に示されるように、１シンボル周期毎に強相関区間ｗ１及びｗ２が存在している。
【００３９】
以下、図５を参照しつつ、マルチパス時における自己相関値、タイミング表示パルス、及び強相関区間の関係について説明する。図５（ａ）に示されるように、自己相関値には１シンボル周期毎に比較的大きいピークと比較的小さいピークとが形成されている。各ピークの近傍では自己相関値が所定の閾値Ｔｈよりも大きくなっている。また、図５（ｂ）に示されるように、１シンボル周期毎にタイミング表示パルスｐ３及びｐ４が、自己相関値が最大となるタイミングｔ３及びｔ４を示している。また、図５（ｃ）に示されるように、１シンボル周期内に１つの強相関区間ｗ３が存在する場合と、連続する２つの強相関区間ｗ４及びｗ５が存在する場合とが生じ得る。図５（ａ）に示されるように、マルチパスが生じている場合、自己相関値には２つのピークが生じるので、強相関区間ｗ３はシングルパス時の強相関区間ｗ１（図４（ｃ））に比較して長くなっている。同様に、強相関区間ｗ４及びｗ５の存在区間ｗ６もシングルパス時の強相関区間ｗ２（図４（ｃ））に比較して長くなっている。
【００４０】
以下、図６を参照しつつ、ＯＦＤＭ復調器４による自己相関判定及びその判定結果に基づく告知動作について説明する。
【００４１】
先ず、自己相関算出部９は、ＲＦ部３から供給されたＯＦＤＭ変調信号について、１シンボル長に相当する区間に亘って、１シンボル長よりも十分短いサンプリング間隔で複数の自己相関値を算出する。
【００４２】
次に、自己相関判定部１１は、自己相関算出部９によって算出された自己相関値の各々について所定の閾値Ｔｈより大きいか否か判定する。自己相関判定部１１は、強相関判定結果とその判定タイミングとを対応付けて積分部１４に供給する。
【００４３】
次に、タイミング表示パルス生成部１２は、１シンボル長区間内において自己相関値が最大となるタイミングを示すタイミング表示パルスを生成する。図６（ａ）には１つのタイミング表示パルスｐ４が示されている。
【００４４】
次に、積分区間設定部１３は、図６（ｂ）に示されるように、タイミング表示パルスｐ４によって示されるタイミングｔ４を基準として複数の積分区間ｆ１〜ｆ１２を設定する。
【００４５】
次に、積分部１４は、積分区間ｆ１、ｆ２、・・・、ｆ１２毎に強相関判定とされた自己相関値の総数を区間内総計値ｇ１、ｇ２、・・・、ｇ１２として算出する。例えば、積分区間ｆ６内の自己相関値が大きい一方、積分区間ｆ１内の自己相関値は小さい。それ故、積分区間ｆ１の区間内総計値ｇ１は積分区間ｆ６の区間内総計値ｇ６よりも小さい値となる。
【００４６】
次に、検出判定部１６は、積分部１４によって算出された積分区間毎の区間内総計値ｇ１〜ｇ１２に応じて、積分区間毎に１つの自己相関レベルデータを選択する。検出判定部１６は、例えば、区間内総計値が５０以下の場合には自己相関レベルデータｄ１、区間内総計値が５１〜１００の場合には自己相関レベルデータｄ２、区間内総計値が１０１〜１５０の場合には自己相関レベルデータｄ３、区間内総計値が１５１以上の場合には自己相関レベルデータｄ４というように区間内総計値と自己相関レベルデータとを予め対応付けたテーブルを保持している。例えば、区間内総計値ｇ１が０であり、区間内総計値ｇ６が２００である場合、検出判定部１６は、積分区間ｆ１については自己相関レベルデータｄ１を選択し、積分区間ｆ６については自己相関レベルデータｄ４を選択する。自己相関レベルデータｄ１、ｄ２、ｄ３、ｄ４はそれぞれ、例えば、「００」、「０１」、「１０」、「１１」の２進数データによって表現し得る。積分区間毎の自己相関レベルデータはメモリ１７に記憶される。自己相関レベルデータの記憶領域は制御部１４によって指定される。
【００４７】
自己相関算出部９、自己相関判定部１１、タイミング表示パルス生成部１２、積分区間設定部１３、積分部１４及び検出判定部１６は、上記処理を、１シンボル長区間毎に又は少なくとも１つのシンボル長区間おきに周期的に実行する。メモリ１７には、各周期における積分区間毎の自己相関レベルデータが記憶される。なお、上記実施例においては積分区間をｆ１〜ｆ１２としたが、これに限られない。積分区間は２つ以上であれば良い。
【００４８】
ＣＰＵ２１は、１つの周期に属する積分区間毎の自己相関レベルデータを例えば１秒間隔などの周期的にメモリ１７から読み出す。自己相関レベルデータはメモリＩ／Ｆ２０を介して読み出される。ＣＰＵ２１は、読み出した自己相関レベルデータを告知部２２に供給する。
【００４９】
告知部２２は、ＣＰＵ２１から供給される自己相関レベルデータに対応する告知をユーザーに対して行なう。図６（ｃ）に示されるように、告知部２２は、画面への自己相関レベル表示ｎ１、ｎ２、・・・、ｎ１２によって告知を行なうことができる。自己相関レベル表示ｎ１、ｎ２、・・・、ｎ１２はそれぞれ、積分区間ｆ１、ｆ２、・・・、ｆ１２に対応している。すなわち、画面には、時間軸に沿って積分区間毎の自己相関レベルが並置されて表示される。
【００５０】
図６（ｄ）に示されるように、自己相関レベルは色の濃淡によって表される。例えば、自己相関レベルが大きいほど濃い色によって表示されるように予め設定されている。例えば、積分区間ｆ６及びｆ７の区間内総計値ｇ６及びｇ７が比較的多いので自己相関レベル表示ｎ６及びｎ７の色が濃くなっている。一方、積分区間ｆ１、ｆ２、ｆ３及びｆ１２の区間内総計値ｇ１、ｇ２、ｇ３及びｇ１２は比較的少ないので自己相関レベル表示ｎ１、ｎ２、ｎ３及びｎ１２の色は薄くなっている。自己相関レベル表示は、ＣＰＵ２１による自己相関レベルデータの読出し周期毎に更新表示される。
【００５１】
ユーザーは、画面表示からマルチパスの影響の有無を読み取ることができる。例えば、濃い色の自己相関レベル表示（以下、濃色表示と称する）が比較的多数連続している場合には、マルチパスが生じていると判断できる。また、濃色表示区間が２つ以上存在する場合にも、マルチパスが生じていると判断できる。
【００５２】
上記したように、本実施例の受信装置１においては、復調処理前の受信ＯＦＤＭ変調信号の自己相関値を算出してこれと閾値とを比較する。そして、復調信号値のうち閾値を上回る自己相関値の個数を所定の時間間隔毎に区間内総計値として算出する。更に、区間内総計値に応じて、複数の自己相関レベルデータのうちから１つの自己相関レベルデータを選択する。かかる動作は所定周期毎に実行され、選択された自己相関レベルデータは受信装置１内のメモリに順次記憶される。
【００５３】
このように、本実施例の受信装置１においては、最終的に得られる復号信号からではなく、復調処理前の受信ＯＦＤＭ変調信号から受信状態を把握し得る情報を提供する。すなわち、受信ＯＦＤＭ変調信号の自己相関値を算出して、その算出結果に基づいてマルチパスが生じていることを把握し得る情報を提供する。それ故、たとえ受信ＯＦＤＭ変調信号の受信品質が復調可能なレベルにまで達していない場合であっても、ＯＦＤＭ変調信号自体が受信装置１に到来しているか、及びそのマルチパスの影響の度合いを把握することができる。
【００５４】
また、受信装置１においては、自己相関値そのものをメモリ１７に記憶するのではなく、時間軸に沿った自己相関値の強弱を示すデータをメモリ１７に記憶する。すなわち、一定の積分区間毎に強相関判定個数を求め、その個数に応じた１つの自己相関レベルデータを積分区間毎にメモリ１７に記憶する。かかる動作により、１つの積分区間に含まれる複数の自己相関強度値を圧縮して、１つの積分区間における自己相関レベル情報とすることができる。地上波デジタル放送の場合、約１ｍｓ周期で５６１６個のサブキャリアが伝送される。仮に情報圧縮せずにサブキャリア毎の自己相関強度を例えば８ビットの数値で表す場合には、８×１ｋ×５６１６＝約４５Ｍｂｉｔ／ｓものデータ量が必要になり、地上波デジタル放送の伝送情報量約２０Ｍｂｉｔ／ｓより大きくなってしまう。それ故、例えばＣＰＵ２１が自己相関強度値を読み出す動作自体がいわゆるスプリアス性ノイズの発生源ともなり得る。翻って、本実施例の受信装置１においては、情報圧縮により、かかる問題をも解消することができる。
【００５５】
また、受信装置１においては、メモリ１７に記憶されているデータに基づいて、受信障害の原因を特定し通信品質を向上させ得る受信状態情報をユーザーに提供することができる。例えば、受信装置１は、１シンボル区間内における自己相関レベルの高低を画面表示等の方法によってユーザーに示すことができる。この際、積分区間毎の自己相関レベルを時間軸に沿って並置して画面表示することにより、受信装置１のユーザーや開発者がマルチパスの有無を視認により簡単に把握することができる。例えば、自己相関レベルが高いことを示す濃色表示が比較的多数連続している場合には、マルチパスが生じていると判断できる。また、濃色表示区間が２つ以上ある場合にも、マルチパスが生じていると判断できる。
【００５６】
受信装置１がカーナビゲーション装置であり、その開発者が受信装置１を自動車に搭載して路上を走行しながらマルチパスの発生状況を随時確認することもできる。すなわち、ＯＦＤＭ復調器４単体ではなく、ＯＦＤＭ復調器４を受信装置１に組み込み、更に受信装置１の実際の使用状況下における受信状況を容易に把握することができる。ユーザー等は提供される受信概況情報からマルチパスの影響を低減する措置を講じることができる。措置としては、例えば、アンテナ２の指向特性の調整、車内における受信装置１の搭載位置や自動車の停車位置の変更が挙げられる。かかる措置により、マルチパスの影響を低減し、最終的に所望のＯＦＤＭ受信復調系を実現し得る。
【００５７】
受信装置１においては、タイミング表示パルスによって示されるタイミングを基準として複数の積分区間の時間上の位置を設定する。かかる構成により、積分区間設定部１３による積分区間の設定対象範囲を１シンボル長よりも短くした場合であっても、少なくとも自己相関値の大きい区間については検出判定部１６による判定対象とすることができる。それ故、処理量低減のために積分区間の設定対象範囲を絞った場合であってもマルチパスの有無を把握することができる。
【００５８】
上記実施例は、区間内総計値算出部１０によって算出される区間内総計値が、１の積分区間内に含まれる自己相関値のうち、所定の閾値を上回るもの（強相関判定とされた自己相関値）の合計個数である場合の例であるが、これに限られない。区間内総計値算出部１０は、１の積分区間内に含まれる自己相関値のうち、所定の閾値を上回るもの各々と当該閾との差分の積分値を区間内総計値として算出することができる。この場合、自己相関判定部１１は、強相関判定とされた自己相関値と閾値との差分を示す比較結果値を出力する。比較結果値は、差分そのものを示す差分値として表される。積分部１４は、積分区間毎に当該差分値を積分して区間内総計値を得る。積分部１４は、積分区間毎の区間内総計値を検出判定部１６に供給する。かかる動作によっても、上記実施例と同様の効果を奏することができる。
【００５９】
上記実施例は、自己相関レベルを色の濃淡によって段階的に表示する場合の例であるが、これに限られない。例えば、複数種類の色、複数の表示パターン、複数の文字、又はこれらの組合せを用いることによっても積分区間毎の自己相関レベルを段階的に表示することができる。また、上記実施例は、自己相関レベルを４段階で示す場合の例であるが、これに限られない。例えば、自己相関レベルの高低を２段階で示す表示（例えば「■」及び「□」の表示）としても良い。また、単一の表示色を用いて、自己相関強度が強判定となる積分区間（強相関区間）についての自己相関レベル表示のみを点滅させる構成としても良い。また、上記実施例は、画面表示によってユーザー等への告知を行なう構成であるが、これに限られない。例えば、音声によって告知を行なうこともできる。この場合、時間軸上での強相関区間の連続数に応じて音声の種類や音量を変更する構成とし得る。例えば、強相関区間の連続数が多くなるほど音量を大きくする構成、又は強相関区間の連続数に応じて出力音声を段階的に変化させる構成とすることができる。
【００６０】
また、上記実施例は、告知部２２が画面表示等により自己相関強度についての告知を行なう場合の例であるが、これに限られない。当該告知は、表示部８が画面表示によって行うこともできる。この場合、ＣＰＵ２１が、メモリ１７から自己相関レベルデータを読み出し、当該データに応じた表示信号を表示部８に供給する。表示信号は、色の濃淡等によって自己相関レベルを示す表示（例えば図６（ｃ）に示される表示）を表示部８に画面表示させる信号である。かかる動作によっても、上記実施例と同様の効果を奏することができる。
【００６１】
上記実施例は１つの閾値を用いた場合の例であるが、これに限られない。例えば、図７に示されるように２つの閾値を用いることができる。自己相関判定部１１は、自己相関算出部９によって算出された自己相関値の各々について第１閾値Ｔｈ１より大きいか否か判定すると共に、第２閾値Ｔｈ２より大きいか否かについても判定する。積分部１４は、複数の自己相関値のうち第１閾値Ｔｈ１を上回る自己相関値の個数（第１区間内総計値ｇ１）を積分区間毎に算出すると共に、第２閾値を上回る自己相関値の個数（第２区間内総計値ｇ２）を積分区間毎に算出する。検出判定部１６は、第１区間内総計値ｇ１に応じて積分区間毎に自己相関レベルデータを選択する（当該選択されたデータ群を第１レベルデータ群と称する）と共に、第２区間内総計値ｇ２に応じて積分区間毎に自己相関レベルデータを選択する（当該選択されたデータ群を第２レベルデータ群と称する）。第１及び第２レベルデータ群はメモリ１７に記憶される。ＣＰＵ２１は第１及び第２レベルデータ群を周期的に読出して、第１レベルデータ群に基づく第１自己相関レベル表示２２ａを行なうと共に、第２レベルデータ群に基づく第２自己相関レベル表示２２ｂを行なう。かかる構成によれば、例えば、第１自己相関レベル表示２２ａからマルチパスの発生を把握すると共に、第２自己相関レベル表示２２ｂから自己相関値の最大ピーク位置を把握できる。それ故、マルチパスが発生している場合に、当該最大ピーク位置を指針として受信状況をより効率的に改善し得る。
【００６２】
上記実施例は、ＯＦＤＭ信号の自己相関値のうち所定閾値を上回る自己相関値の個数を所定区間毎に区間内総計値として算出する場合の例であるが、以下のような動作とすることもできる。自己相関値は、上記実施例と同様に自己相関算出部９によって算出される。積分部１４は、所定区間毎に当該所定区間内に属する自己相関値の積分値を区間内積分値として算出する。区間内積分値は、その積分区間における総電力に相当する。検出判定部１６は、所定区間毎に区間内積分値に応じて複数の自己相関レベルデータのうちの１つを選択し、これをメモリ１７に記憶させる。このように、自己相関値についての判定を行なわずに、所定区間内に属する自己相関値をそのまま積分する。かかる構成によれば、閾値以下の自己相関値についても積分値に取り込まれるので、比較的弱い自己相関値をも考慮して受信状況を把握することができる。
【００６３】
上記実施例は、タイミング表示パルスによって示されるタイミングを基準として積分区間の時間上の位置を設定する場合の例であるが、これに限られない。積分区間設定部１３は、任意のタイミングを基準として積分区間の時間上の位置を設定することもできる。
【符号の説明】
【００６４】
１  ＯＦＤＭ変調信号受信表示装置
２  アンテナ
３  ＲＦ部
４  ＯＦＤＭ復調器
５  復調部
６  復号部
７  デコーダ
８  表示部
９  自己相関算出部
１０  区間内総計値算出部
１１  自己相関判定部
１２  タイミング表示パルス生成部
１３  積分区間設定部
１４  積分部
１５  選択記憶部
１６  検出判定部
１７  メモリ
１８  カウンタ
１９  制御部
２０  メモリＩ／Ｆ
２１  ＣＰＵ
２２  告知部
【図１】
2014023115.tif 000003
【図２】
2014023115.tif 000004
【図３】
2014023115.tif 000005
【図４】
2014023115.tif 000006
【図５】
2014023115.tif 000007
【図６】
2014023115.tif 000008
【図７】
2014023115.tif 000009